(57)【要約】【課題】ＨＤＭＩ端子のような凹状端子の機能を損なうことなく、且つ、容易に組み立て固定が行えるプロジェクタ組立用治具を提供すること。【解決手段】プロジェクタ組立用治具５０は、制御基板２０と、フレーム３０と、を支持する支持脚５３と、ＨＤＭＩ端子２２の凹状部２２ａを保護するための保護板６１と、保護板６１に設けられ、止ネジ孔２５とフレーム３０とを止ネジ２８で固定するドライバ７０を誘導するための誘導孔６２と、保護板６１を回転自在に軸支する軸支部６３と、を備え、フレーム３０を略鉛直方向に支持している状態では、保護板６１がＨＤＭＩ端子２２の位置から離反しており、プロジェクタ組立用治具５０が回転してフレーム３０を略水平方向に支持している状態では、保護板６１がＨＤＭＩ端子２２を覆うように回転移動してＨＤＭＩ端子２２を保護する。【選択図】図９
2008242123.tif 000002
【特許請求の範囲】
【請求項１】
凹状の挿入受口を有する凹状端子が設けられ、光源部から射出された光束を画像信号に
応じて変調して投射するプロジェクタを制御する基板と、前記基板を取り付けるためのフ
レームと、を支持する支持部と、
前記凹状端子の前記挿入受口を覆って保護するための保護部材と、
前記保護部材に設けられ、前記基板と前記フレームとの組立に供される固定部材を固定
するための固定工具を前記挿入受口から避けるように誘導するための誘導孔と、を備えて
いることを特徴とするプロジェクタ組立用治具。
【請求項２】
請求項１に記載のプロジェクタ組立用治具において、
前記保護部材を移動させるための移動部をさらに有し、
前記固定工具が前記固定部材を固定する操作時には、前記保護部材が前記凹状端子の前
記挿入受口を覆うように接近し、前記固定工具が前記固定部材を固定しない非操作時には
、前記保護部材が前記挿入受口の位置から離反していることを特徴とするプロジェクタ組
立用治具。
【請求項３】
請求項２に記載のプロジェクタ組立用治具において、
前記移動部は、前記保護部材を軸支し、前記支持部の姿勢に応じて前記保護部材を前記
挿入受口に対して離反または接近する方向へ回転させることを特徴とするプロジェクタ組
立用治具。
【請求項４】
請求項２または３に記載のプロジェクタ組立用治具において、
前記移動部は、前記支持部の一端側に位置して前記保護部材を軸支しており、前記保護
部材と前記支持部とは、前記一端側からそれぞれの他端までの長さが略同等であることを
特徴とするプロジェクタ組立用治具。
【請求項５】
請求項１から４のいずれか一項に記載のプロジェクタ組立用治具において、
前記基板は、前記フレームに対し略垂直に配置される第１基板と、前記フレームに対し
略平行に配置される第２基板とを有しており、
前記第２基板と前記支持部とは、前記第１基板に対する略垂直方向の長さが略同等であ
ることを特徴とするプロジェクタ組立用治具。
【請求項６】
請求項５に記載のプロジェクタ組立用治具において、
前記第２基板を位置決めするための位置決部をさらに備えていることを特徴とするプロ
ジェクタ組立用治具。
【請求項７】
請求項１から６のいずれか一項に記載のプロジェクタ組立用治具において、
前記凹状端子がＨＤＭＩに準拠した端子であることを特徴とするプロジェクタ組立用治
具。
【発明の詳細な説明】
【技術分野】
【０００１】
本発明は、プロジェクタが有するＨＤＭＩ端子などの凹状端子を組み立てるためのプロ
ジェクタ組立用治具に関する。
【背景技術】
【０００２】
従来、プロジェクタにおいて、特許文献１に示すように、メイン基板とインターフェー
ス基板とが略直角に配置されて、内部スペースを有効に活用している。さらに詳細には、
メイン基板とインターフェース基板とは、フレームに固定されている。そして、外部機器
との接続用のコネクタ類は、メイン基板に導通して接続されると共に、インターフェース
基板と略平行なフレーム面等へ固定されている。
【０００３】
【特許文献１】特開２００４−１３８９１１号公報
【発明の開示】
【発明が解決しようとする課題】
【０００４】
近年、プロジェクタなどに、接続機器同士が認識しあうインテリジェンス機能を有する
ＨＤＭＩ端子が搭載されるようになってきている。このＨＤＭＩ端子は、外部機器接続用
の凸状の接続端子を挿入するための凹状部を有し、凹状部が取付面からプロジェクタの内
部側に位置するように固定されており、接続端子の挿入がし易い構成である。しかし、こ
のような構成のＨＤＭＩ端子の近傍において、ドライバによってネジで基板等を組み立て
る時に、ドライバの先端がネジから外れて凹状部へ滑り込み易かった。そのため、組み立
てがし難いと共に高価なＨＤＭＩ端子の機能を損なう可能性がある、という課題があった
。
【０００５】
本発明は、上記課題を解決するために、ＨＤＭＩ端子のような凹状端子の機能を損なう
ことなく、且つ、容易に組み立て固定が行えるプロジェクタ組立用治具を提供することを
目的とする。
【課題を解決するための手段】
【０００６】
本発明のプロジェクタ組立用治具は、凹状の挿入受口を有する凹状端子が設けられ、光
源部から射出された光束を画像信号に応じて変調して投射するプロジェクタを制御する基
板と、基板を取り付けるためのフレームと、を支持する支持部と、凹状端子の挿入受口を
覆って保護するための保護部材と、保護部材に設けられ、基板とフレームとの組立に供さ
れる固定部材を固定するための固定工具を挿入受口から避けるように誘導するための誘導
孔と、を備えていることを特徴とする。
【０００７】
このプロジェクタ組立用治具によれば、まず、支持部によってフレームと基板とをそれ
ぞれ支持して組立を行う。、凹状端子は、凸状の接続端子が挿入される凹状の挿入受口を
有していて、接続端子の脱着による挿入受口への衝撃等に耐える強度が確保されるように
組み立てられている。凹状の挿入受口は、固定部材が供給され固定工具で固定される方向
を向いていると、固定工具が、凹状端子の近傍で操作された場合や、固定部材の装着中に
固定部材から外れた場合などにおいて、固定工具が挿入受口へ滑り込む可能性がある。そ
の場合、凹状端子の挿入受口が損傷し、接続端子との接続が不可能になる。そこで、プロ
ジェクタ組立用治具に保護部材を備え、保護部材で凹状端子の挿入受口を覆って、固定工
具が挿入受口へ滑り込むことを防止する。さらに、保護部材には、誘導孔が設けられてい
て、固定工具が挿入受口へ滑り込まないように、挿入受口を避けて誘導する。このように
保護部材を備えることにより、固定工具が誘導孔以外の位置へ外れることを防止でき、仮
に、外れた場合であっても、凹状端子の挿入受口へ滑り込むことを防止することが可能で
ある。
【０００８】
この場合、保護部材を移動させるための移動部をさらに有し、固定工具が固定部材を固
定する操作時には、保護部材が凹状端子の挿入受口を覆うように接近し、固定工具が固定
部材を固定しない非操作時には、保護部材が挿入受口の位置から離反していることが好ま
しい。
【０００９】
この構成によれば、保護部材は、移動部によって移動することが可能であって、固定部
材によって基板とフレームとを組み立てる時に、保護部材が凹状端子を覆うように移動し
て挿入受口を保護する構成である。そのため、固定工具で固定部材を固定する操作を凹状
端子の近傍で行う場合であっても、固定工具が凹状端子の挿入受口を損傷するようなこと
がない。一方、固定工具で固定部材を固定しない非操作時には、保護部材が凹状端子の位
置から離反していて、挿入受口を覆っていない。従って、この非操作の状態において、フ
レームと基板とを支持部に配置すれば、保護部材がそれぞれの配置の妨げにならず、支持
部への配置が容易に行える。
【００１０】
この場合、移動部は、保護部材を軸支し、支持部の姿勢に応じて保護部材を挿入受口に
対して離反または接近する方向へ回転させることが好ましい。
【００１１】
この構成によれば、保護部材は、移動部に回転自在に軸支され、固定工具が固定部材を
固定する操作時における支持部の姿勢状態では、凹状端子の挿入受口から離反するように
回転した位置にある。そして、固定工具が固定部材を固定しない非操作時における支持部
の姿勢状態では、保護部材が離反していた位置から凹状端子の挿入受口へ接近するように
回転して、凹状端子の挿入受口を覆う。このように、支持部の姿勢に同期して、保護部材
が挿入受口に対して離反または接近するように回転するため、保護部材が挿入受口を覆っ
ていない状態で、固定工具によって固定操作をしてしまうような誤操作等を防止すること
が可能である。
【００１２】
また、移動部は、支持部の一端側に位置して保護部材を軸支しており、前記保護部材と
前記支持部とは、前記一端側からそれぞれの他端までの長さが略同等であることが好まし
い。
【００１３】
この構成によれば、保護部材が凹状端子を覆っている場合において、支持部の一端側に
位置する移動部によって軸支されている保護部財は、保護部材の移動部と反対側の端部が
、支持部の他端側とほぼ面一となる。この設定によれば、保護部財が支持部より長く突出
しておらず、固定操作などを行う際に、固定工具などが引っ掛かって操作を妨げるような
ことがない。従って、基板とフレームとをよりスムーズに組み立てることが可能である。
【００１４】
そして、基板は、フレームに対し略垂直に配置される第１基板と、フレームに対し略平
行に配置される第２基板とを有しており、前記第２基板と前記支持部とは、前記第１基板
に対する略垂直方向の長さが略同等であることが好ましい。
【００１５】
この構成によれば、フレームに第２基板を組み立てる際に、第２基板と支持部との長さ
が略等しいため、第２基板をガタなく組立治具へ配置することができ、これにより、第１
基板およびフレームと同時に組み立てることが可能である。
【００１６】
この場合、第２基板を位置決めするための位置決部をさらに備えていることが好ましい
。
【００１７】
この構成によれば、位置決部が第２基板を所定の配置位置へガイドするため、第２基板
の位置決めがより確実、且つ、容易になる。また、第２基板が位置決部によりガイドされ
ることにより、フレームへの組立も容易となる。
【００１８】
さらに、凹状端子がＨＤＭＩに準拠した端子であることが好ましい。
【００１９】
この構成によれば、ＨＤＭＩ（High-Definition Multimedia Interface）に準拠したＨ
ＤＭＩ端子（凹状端子）を、その機能を損なうことのないように保護して、フレームへ取
り付けることが可能である。ＨＤＭＩは、映像・音声などを非圧縮で転送するなどのイン
テリジェンス機能を有する接続規格であり、これに準拠したＨＤＭＩ端子は、価格面でも
高価である。そのため、本発明のプロジェクタ組立用治具を用いて組み立てを行えば、組
立不良を抑制して確実に取り付けられ、組立不良による費用発生を削減することが可能で
ある。
【発明を実施するための最良の形態】
【００２０】
以下、本発明を具体化した実施形態について図面に従って説明する。実施形態では、プ
ロジェクタに搭載される基板である制御基板（第１基板）およびインターフェース基板（
第２基板）をフレームへ組み立てるためのプロジェクタ組立用治具を例にして、図面に従
って説明する。このプロジェクタは、ＨＤＭＩ端子（凹状端子）を搭載したものであり、
光源からの光（光束）を赤、青、緑の色光に分光し、分光した光をそれぞれの色用の液晶
パネルへ射出し、さらに、各液晶パネルで色光毎に変調された光学像を合成してカラー画
像を生成する方式である。
（実施形態）
【００２１】
図１は、プロジェクタの外観を示す斜視図である。図２は、プロジェクタを背面下方か
ら見た外観を示す斜視図である。図１に示すように、プロジェクタ１は、上部外装２と、
下部外装３と、前部外装４と、で構成された略直方体状の外観をしており、各外装はプロ
ジェクタ１の機構部を収容する筐体である。そして、上部外装２の上面の前部外装４側に
は、プロジェクタ１を操作するための操作パネル５が設けられている。また、前部外装４
には、操作パネル５の位置近傍に切り欠きが設けられていて、この切り欠きの部分に投射
レンズ部６が配置されている。さらに、投射レンズ部６には、ズーム操作およびフォーカ
ス操作を行うためのレバー７が設けられている。
【００２２】
また、前部外装４の投射レンズ部６と反対側位置には、機構部が発する熱を排出するた
めの排気口８が設けられ、下部外装３の投射レンズ部６側の側面には、冷却用の空気を吸
入するための吸気口９（９ａ）が設けられている。これにより、冷却空気が吸気口９ａか
ら排気口８へ常に循環し、機構部の温度が所定温度以上に上昇しないように配慮されてい
る。さらに、図２に示すように、下部外装３の底面には２つの吸気口９ｂ，９ｃが設けら
れている。これにより、冷却空気が吸気口９から排気口８へ常に循環し、機構部の温度が
所定温度以上に上昇しないように配慮されている。吸気口９には、導入する冷却空気に含
まれる塵埃を除去するために、吸気口９内側の全域に図示していない除塵フィルタが設け
られている。
【００２３】
同じく図２に示すように、下部外装３の底面には、プロジェクタ１を３点で支持する３
つの脚部１０が設けられている。脚部１０は、底面の後方側の略中央部分に１つの後脚と
、前方側の隅部にそれぞれ１つの前脚と、が設けられていて、前脚は、それぞれ上下方向
に伸縮可能に構成されており、プロジェクタ１の傾きを調整して、投射するカラー画像の
位置合わせが行えるようになっている。
【００２４】
そして、下部外装３の背面に、スピーカ１３と、プロジェクタ１と外部装置とを接続す
るための各種のコネクタ２１と、ＨＤＭＩに準拠したＨＤＭＩ端子（凹状端子）２２と、
が設けられている。このＨＤＭＩ端子２２は、外部機器接続用の凸状の接続端子を挿入す
るため、凹状形状をなしていて、映像・音声などを非圧縮で転送することなどが可能な接
続規格であるＨＤＭＩに準拠したいわゆるインテリジェンス機能を有している。
【００２５】
次に、プロジェクタ１の機構部の構成および機能を簡単に説明する。図３は、上部外装
を取り外したプロジェクタの内部を示す斜視図である。また、図４は、制御基板を取り外
したプロジェクタの内部を示す斜視図である。図３または図４に示すように、前部外装４
の側には、既述した投射レンズ部６と、排気口８に連続するように位置する排気ユニット
１１と、投射レンズ部６および排気ユニット１１の間に位置する電源ユニット１５と、が
配置され、排気ユニット１１および電源ユニット１５の後部には、平面視略Ｌ字状の光学
ユニット１２（１２ａ，１２ｂ，１２ｃ，１２ｄ）が配置されている。
【００２６】
そして、電源ユニット１５、光学ユニット１２および投射レンズ部６の上部外装２側に
、プロジェクタ１を制御するための各種回路（不図示）などからなる制御部が実装された
制御基板（第１基板）２０と、電源ユニット１５などからの電磁ノイズ漏れを防止するた
めのシールド板２３と、が配置されている。排気ユニット１１は、冷却空気を排気口８へ
排気する軸流ファン１１ａと、排気ダクト１１ｂと、を有する。また、光学ユニット１２
は、排気ユニット１１近傍の光源部１２ａと、インテグレータ照明部１２ｂと、色分離部
１２ｃと、３枚の液晶パネル（不図示）を有する変調部１２ｄと、を有し、変調部１２ｄ
が投射レンズ部６に接続されている。
【００２７】
ここで、光学ユニット１２について簡単に説明する。光学ユニット１２の光源部１２ａ
は、光源ランプと、光源ランプからの放射状の光線を反射して平行光線にするリフレクタ
と、を有し、平行光線をインテグレータ照明部１２ｂへ射出する。インテグレータ照明部
１２ｂは、３枚の液晶パネルの画像形成領域をほぼ均一に照射するためのレンズ群を介し
て、色分離部１２ｃへ光を射出する光学系である。色分離部１２ｃは、ダイクロイックミ
ラーおよび反射ミラーによって、インテグレータ照明部１２ｂからの光を赤、青、緑の色
光に分光し、変調部１２ｄへ射出する。そして、変調部１２ｄは、赤、青、緑の色光に分
光された光をそれぞれの色に対応する液晶パネルへ導く。各液晶パネルでは、制御基板２
０の制御部から伝送された画像情報に基づいて、色光毎に光を変調して光学像を形成し、
さらに、色光毎の光学像をプリズムによって合成してカラー画像を形成する。カラー画像
は、投射レンズ部６により拡大されてスクリーンに投射される。
【００２８】
このような機構部を制御する制御部は、制御基板２０に設けられていて、制御基板２０
は、図４に示すように、インターフェース基板（第２基板）４０と共にフレーム３０へ固
定されて一体になっている。一体になった制御基板２０、インターフェース基板４０およ
びフレーム３０は、図３に示すように、光学ユニット１２および電源ユニット１５を覆う
ように取り付けられている。また、既述したコネクタ２１およびＨＤＭＩ端子２２は、制
御基板２０またはインターフェース基板４０と導通している状態でフレーム３０に配設さ
れている。フレーム３０は、図２に示すように、プロジェクタ１の背面の一部を形成して
おり、コネクタ２１の配設は、上部外装２の側の１列と下部外装３の側の１列との２列構
成になっている。
【００２９】
これらコネクタ２１は、コンポーネント信号を入力するためのＲＧＢ入力端子、ビデオ
入力端子、映像入力端子、Ｄ入力端子、オーディオ入力端子などである。また、ＨＤＭＩ
端子２２を有する制御基板２０は、ＨＤＭＩ端子２２の近傍で止ネジ（固定部材）２８に
よってフレーム３０へ固定されると共に、プロジェクタ１の背面側の基板孔２４ａおよび
前面側の基板孔２４ｂのそれぞれ３つずつの基板孔２４を介して機構部へ取り付けられて
いる。止ネジ２８により、ＨＤＭＩ端子２２もより安定した取り付け状態となる。
【００３０】
次に、これら制御基板２０、インターフェース基板４０およびフレーム３０の詳細につ
いて説明する。まず、図５は、制御基板、フレームおよびインターフェース基板をそれぞ
れ示す斜視図である。フレーム３０は、プロジェクタ１の背面の一部を形成する主面３０
ａと、制御基板２０を主面３０ａと略直角に位置決めするための２つの位置決突起３７と
、制御基板２０と共にプロジェクタ組立用治具への仮固定および組み立て後にプロジェク
タ１へネジ固定をするための３つの固定孔３３と、プロジェクタ１へネジ固定するための
２つのフレーム孔３４と、インターフェース基板４０を主面３０ａと略平行に固定するた
めの２つの固定孔３６と、を有している。
【００３１】
制御基板２０は、位置決突起３７と係合する位置決孔２６と、フレーム３０の固定孔３
３に対応する基板孔２４ａと、フレーム３０側の縁辺に配置され制御基板２０と電気的に
導通しているコネクタ２１ａ（２１）およびＨＤＭＩ端子２２と、フレーム３０の固定孔
３３に対応する基板孔２４ａおよび図４に示す基板孔２４ｂと、を有している。
【００３２】
インターフェース基板４０は、制御基板２０と電気的に導通して接続するための接続部
４１と、固定孔３６に対応する基板孔４２と、インターフェース基板４０と電気的に導通
しフレーム３０の方向へ突出するように設けられたコネクタ２１ｂ（２１）と、を有して
いる。
【００３３】
そして、フレーム３０の主面３０ａは、制御基板２０に設けられたコネクタ２１ａがプ
ロジェクタ１の外部側へ突出するためのコネクタ窓３１と、インターフェース基板４０に
設けられたコネクタ２１ｂがプロジェクタ１の外部側へ突出するためのコネクタ窓３２と
、ＨＤＭＩ端子２２の凹状部（挿入受口）２２ａに対応する位置に設けられたＨＤＭＩ端
子窓３８と、ＨＤＭＩ端子２２近傍の止ネジ孔２５へ止ネジ２８（図３）を螺合して制御
基板２０をフレーム３０へ固定するための止孔３５と、を有している。
【００３４】
このような構成の制御基板２０、インターフェース基板４０およびフレーム３０は、プ
ロジェクタ組立用治具を用いることにより、それぞれの機能を損ねることなく、迅速に、
且つ、確実に組み立てられる。次に、プロジェクタ組立用治具の構成と、プロジェクタ組
立用治具による具体的な組立の一例について、詳細に説明する。
【００３５】
図６は、プロジェクタ組立用治具の外観を示す斜視図である。また、図７は、プロジェ
クタ組立用治具による制御基板、フレームおよびインターフェース基板の組み立てを示す
斜視図である。図６に示すように、プロジェクタ組立用治具５０は、基準板５１と、基準
板５１の端部から基準板５１と直角に設けられた立設板５２と、基準板５１に３本ずつ立
設板５２と略平行に立設された６本の支持脚（支持部）５３と、立設板５２から遠方側に
位置する３本の支持脚５３のうち、中央の支持脚５３近傍から立設板５２と平行に延在す
るように基準板５１に設けられた位置決部５４と、を有している。
【００３６】
この位置決部５４は、立設板５２と対向する面であるインターフェース基板受面５４ａ
と、インターフェース基板受面５４ａと反対方向の面であるフレーム受面５４ｂと、を有
する直方体形状である。さらに、プロジェクタ組立用治具５０は、インターフェース基板
受面５４ａと対向してインターフェース基板４０を挟持するように、インターフェース基
板受面５４ａの両端部側にそれぞれ設けられた位置決部５５を有している。また、立設板
５２から遠方側に位置する３本の支持脚５３には、フレーム３０等を仮止めするためのネ
ジ孔５３ａが設けられている。
【００３７】
そして、プロジェクタ組立用治具５０は、位置決部５４近傍の支持脚５３に対して位置
決部５４と反対側に設けられ、ＨＤＭＩ端子２２を受けるためのＨＤＭＩ端子受部（支持
部）５６と、ＨＤＭＩ端子２２の凹状部２２ａを保護するためのＨＤＭＩ端子保護部６０
と、を有している。
【００３８】
ＨＤＭＩ端子受部５６は、ＨＤＭＩ端子２２を受ける端子受溝５７と、ＨＤＭＩ端子２
２近傍の止ネジ孔２５と螺合する止ネジ２８（図３）の逃げ部であるネジ逃溝５８と、を
有している。また、ＨＤＭＩ端子保護部６０は、端子受溝５７が保持するＨＤＭＩ端子２
２の凹状部２２ａと対向し、フレーム３０のＨＤＭＩ端子窓３８を介して凹状部２２ａを
覆って保護するための保護板（保護部材）６１と、保護板６１を凹状部２２ａに対向させ
るように回転自在に軸支する軸支部（移動部）６３と、止ネジ２８を装着するドライバ（
固定工具）を誘導するために保護板６１に設けられた誘導孔６２と、を有している。
【００３９】
なお、この場合、保護板６１は、少なくともＨＤＭＩ端子２２の凹状部２２ａに対応す
る位置を保護することが必要であり、凹状部２２ａに対応する位置以外を保護していなく
ても良い。
【００４０】
このようなプロジェクタ組立用治具５０を用いての制御基板２０、フレーム３０および
インターフェース基板４０の組み立てについて説明する。図７に示すように、まず、フレ
ーム３０をプロジェクタ組立用治具５０へ載置する。フレーム３０の載置は、ネジ孔５３
ａが設けられた３本の支持脚５３へ、ネジ孔５３ａとフレーム３０の固定孔３３とがそれ
ぞれ合致するように位置合わせし、フレーム３０の基準板５１の側を位置決部５４のフレ
ーム受面５４ｂ（図６）で受けるようにする。
【００４１】
次に、制御基板２０をフレーム３０および支持脚５３へ載置する。この場合、制御基板
２０には、インターフェース基板４０が接続部４１（図５）によって電気的に導通した仮
止め状態で取り付けられている。そして、制御基板２０の位置決孔２６へフレーム３０の
位置決突起３７を挿入して位置決めして、制御基板２０を載置する。制御基板２０の載置
の際には、制御基板２０に設けられているＨＤＭＩ端子２２が、プロジェクタ組立用治具
５０のＨＤＭＩ端子受部５６（図６）によって保持され、コネクタ２１ａがフレーム３０
のコネクタ窓３１へ勘合し、コネクタ２１ｂがコネクタ窓３２へ勘合するように行う。制
御基板２０の載置後、制御基板２０の基板孔２４ａおよびフレーム３０の固定孔３３を通
して、支持脚５３のネジ孔５３ａへネジを挿入し、制御基板２０およびフレーム３０を支
持脚５３へ固定する。
【００４２】
また、インターフェース基板４０は、プロジェクタ組立用治具５０に延在する位置決部
５４のインターフェース基板受面５４ａ（図６）と、インターフェース基板受面５４ａに
対向する位置決部５５とによって挟持されている。加えて、図５および図６に示すように
、インターフェース基板４０の長さＬと支持脚５３の長さＬとが同等であるため、インタ
ーフェース基板４０は、プロジェクタ組立用治具５０の基準板５１と制御基板２０との間
に隙間によるガタのない、安定した状態で保持されている。従って、プロジェクタ組立用
治具５０で安定して保持されたインターフェース基板４０を、図５に示すフレーム３０の
固定孔３６を介して、図示していないネジによってフレーム３０へ容易に固定することが
可能である。
【００４３】
この時、ＨＤＭＩ端子受部５６によって保持されているＨＤＭＩ端子２２は、既述した
ように、制御基板２０に設けられ、電気的に制御基板２０と導通している。この状態にお
いて、フレーム３０の止孔３５を通してＨＤＭＩ端子２２近傍の止ネジ孔２５へ止ネジ２
８（図３）を挿入し、制御基板２０をフレーム３０へより強固に固定することが可能であ
る。その際、止ネジ２８を回すドライバが、ＨＤＭＩ端子２２の凹状部２２ａへ滑り込む
ことを、ＨＤＭＩ端子保護部６０によって防止する。次に、このＨＤＭＩ端子保護部６０
について説明する。
【００４４】
図８は、ＨＤＭＩ端子とプロジェクタ組立用治具のＨＤＭＩ端子保護部との関係を示す
断面図である。また、図９は、プロジェクタ組立用治具を回転させた場合のＨＤＭＩ端子
とＨＤＭＩ端子保護部との関係を示す断面図である。図８および図９は、ＨＤＭＩ端子２
２の位置において、フレーム３０の主面３０ａと直角方向の断面を表している。図８に示
すように、基準板５１を水平に置いたプロジェクタ組立用治具５０に、制御基板２０、フ
レーム３０およびインターフェース基板４０が載置されると、プロジェクタ組立用治具５
０の基準板５１に立設されたＨＤＭＩ端子受部５６の端子受溝５７に、ＨＤＭＩ端子２２
が保持される。この状態では、ＨＤＭＩ端子２２近傍の止ネジ孔２５とフレーム３０の止
孔３５とが連通していて、フレーム３０の側からＨＤＭＩ端子受部５６のネジ逃溝５８方
向へ、止ネジ２８（図９）の挿入が可能である。
【００４５】
また、プロジェクタ組立用治具５０のＨＤＭＩ端子保護部６０は、基準板５１を水平に
置いた状態において、保護板６１が水平方向からＨＤＭＩ端子受部５６へ近づく方向へ、
所定角度だけ回転した位置に係止している。この位置に保護板６１があれば、支持脚５３
へフレーム３０等を載置する作業おいて、保護板６１が作業の妨げとならない。フレーム
３０等の載置後、止ネジ２８によって、ＨＤＭＩ端子２２近傍の止ネジ孔２５とフレーム
３０とを固定する。図８に示す状態では、鉛直に位置するフレーム３０の主面３０ａに対
し、止ネジ２８を水平方向に止孔３５へ挿入して、ＨＤＭＩ端子２２近傍の止ネジ孔２５
に螺合させる。そのため、止ネジ２８の落下や止ネジ２８を操作するドライバ７０が滑り
易くなり、作業が困難である。
【００４６】
そこで、図９に示すように、止ネジ２８の挿入前に、プロジェクタ組立用治具５０をお
よそ９０度Ｐ方向へ回転させ、立設板５２が水平方向となるようにする。このようなプロ
ジェクタ組立用治具５０の回転に同期して、保護板６１が軸支部６３を中心にＱ方向へ回
転し、フレーム３０の主面３０ａ（図８）と平行になるように重なる。これにより、保護
板６１は、ＨＤＭＩ端子２２との間にフレーム３０を挟んで、ＨＤＭＩ端子２２の凹状部
２２ａを覆い、凹状部２２ａを保護する。一方、保護板６１の誘導孔６２は、保護板６１
の回転によって、フレーム３０の止孔３５と対向する位置に移動しており、誘導孔６２、
止孔３５、ＨＤＭＩ端子２２近傍の止ネジ孔２５、ＨＤＭＩ端子受部５６のネジ逃溝５８
が連通した状態である。誘導孔６２は、止ネジ２８およびドライバ７０が貫通する程度の
大きさの孔であり、ＨＤＭＩ端子２２の凹状部２２ａへ繋って位置していない。
【００４７】
従って、保護板６１の誘導孔６２をガイドにして、ドライバ７０を操作すれば、ドライ
バ７０が止ネジ２８から滑って外れ、ＨＤＭＩ端子２２の凹状部２２ａへ浸入するような
ことを防止することが可能である。また、誤った操作によりドライバ７０などが凹状部２
２ａへ浸入することを防ぐことも可能である。さらに、基準板５１が水平な状態では、保
護板６１が水平方向に対して所定の角度を持って係止しているため、プロジェクタ組立用
治具５０を回転させると、自動的に回転して、凹状部２２ａを覆うようにフレーム３０の
主面３０ａに重なる。そのため、凹状部２２ａが保護板６１で保護されていない不安定な
状態のまま、ＨＤＭＩ端子２２近傍の止ネジ孔２５とフレーム３０とを止ネジ２８で固定
しまうことを防止でき、ＨＤＭＩ端子２２の凹状部２２ａを確実に保護することが可能で
ある。
【００４８】
以下、本発明の一例である実施形態の効果をまとめて記載する。
【００４９】
（１）プロジェクタ組立用治具５０は、保護板６１を有し、保護板６１でＨＤＭＩ端子
２２の凹状部２２ａを覆うことにより、ＨＤＭＩ端子２２の近傍をフレーム３０へ固定す
る際に、ドライバ７０が凹状部２２ａへ滑り込むなどの不具合を防止する。さらに、保護
板６１には誘導孔６２が設けられていて、ドライバ７０を誘導することにより、ドライバ
７０が凹状部２２ａへ滑り込むなどの不具合を確実に防止することが可能である。
【００５０】
（２）保護板６１は、回転自在に軸支されており、プロジェクタ組立用治具５０の回転
に同期し、ＨＤＭＩ端子２２に対して、自動的に離反または接近する。つまり、ＨＤＭＩ
端子２２の近傍をフレーム３０へ固定する時には、保護板６１がＨＤＭＩ端子２２の凹状
部２２ａへ接近して覆って保護し、制御基板２０、インターフェース基板４０、フレーム
３０などを支持脚５３に配置する時には、保護板６１がＨＤＭＩ端子２２の位置から離反
していて、配置の妨げにならない。また、保護板６１が凹状部２２ａを覆っていない状態
で、ドライバ７０によって固定操作をしてしまうような誤操作を防止することが可能であ
る。
【００５１】
（３）プロジェクタ組立用治具５０において、支持脚５３と保護板６１との長さが等し
い設定のため、保護板６１が支持脚５３より長く突出せず、固定操作などを妨げることが
ない。従って、止ネジ孔２５とフレーム３０とをよりスムーズに固定することが可能であ
る。
【００５２】
（４）プロジェクタ組立用治具５０は、インターフェース基板４０を取り付けるための
固定孔３６および位置決部５４，５５を有し、さらに、支持脚５３の長さＬがインターフ
ェース基板４０の長さＬと等しい設定のため、インターフェース基板４０を所定位置へ配
置しやすく、制御基板２０などと同時に容易に取り付けることが可能である。
【００５３】
（５）プロジェクタ組立用治具５０は、ＨＤＭＩ端子２２の凹状部２２ａを確実に保護
して組立が行えるため、組立工程での不具合によるＨＤＭＩ端子２２の歩留まり落ちを、
ほぼ防止することが可能である。
【００５４】
また、本発明は上記の実施形態に限定されるものではなく、次に挙げる変形例のような
形態であっても、実施形態と同様な効果が得られる。
【００５５】
（変形例１）プロジェクタ組立用治具５０は、ＨＤＭＩ端子受部５６を備えていなくて
も良く、このような構成でも、止ネジ２８によって、ＨＤＭＩ端子２２近傍の止ネジ孔２
５とフレームとの固定が行える。但し、ＨＤＭＩ端子受部５６を備えている方が、制御基
板２０に導通しているだけのＨＤＭＩ端子２２を強固に保持でき、固定時の衝撃等からの
保護などの安定性において好ましい。
【００５６】
（変形例２）制御基板２０およびフレーム３０の支持脚５３への仮止めは、ネジに限定
されず、圧入ピンなどであっても良い。
【００５７】
（変形例３）保護板６１は、軸支部６３を中心に回転して移動する構成に限定されない
。ＨＤＭＩ端子２２の近傍を固定する時に、保護板６１がＨＤＭＩ端子２２の凹状部２２
ａを覆っていれば、保護板６１がスライドする構成などであっても良い。
【００５８】
（変形例４）ＨＤＭＩ端子受部５６にダンパ等を設けて、保護板６１の回転を抑制する
構成であっても良い。これにより、プロジェクタ組立用治具５０が急激に回転した場合で
あっても、保護板６１がプロジェクタ組立用治具５０に同期して急激に回転しないため、
フレーム３０等へ衝撃を与えることがない。
【００５９】
（変形例５）プロジェクタ１では、変調部１２ｄにおいて、液晶パネルを光変調素子と
して用いているが、液晶パネルを用いることに限定せず、マイクロミラーを用いたデバイ
スなど、液晶以外の光変調素子を用いても良い。これにより、プロジェクタ組立用治具５
０を各種のプロジェクタの組み立て用として用いることが可能である。
【００６０】
（変形例６）プロジェクタ組立用治具５０は、インテリジェンス機能を有する高価なＨ
ＤＭＩ端子２２を含む組立用として限定されることなく、ＵＳＢ（Universal Serial Bus
）端子や、Ｓ−ＶＩＤＥＯ端子などの凹状端子の取付に適用することも可能である。この
場合、ＨＤＭＩ端子２２と同様に、凹状部が保護され、歩留まり良好な組立が行える。
【図面の簡単な説明】
【００６１】
【図１】プロジェクタの外観を示す斜視図。
【図２】プロジェクタを背面下方から見た外観を示す斜視図。
【図３】上部外装を取り外したプロジェクタの内部を示す斜視図。
【図４】制御基板を取り外したプロジェクタの内部を示す斜視図。
【図５】制御基板、フレームおよびインターフェース基板をそれぞれ示す斜視図。
【図６】プロジェクタ組立用治具の外観を示す斜視図。
【図７】プロジェクタ組立用治具による制御基板、フレームおよびインターフェース基板の組み立てを示す斜視図。
【図８】ＨＤＭＩ端子とプロジェクタ組立用治具のＨＤＭＩ端子保護部との関係を示す断面図。
【図９】プロジェクタ組立用治具を回転させた場合のＨＤＭＩ端子とＨＤＭＩ端子保護部との関係を示す断面図。
【符号の説明】
【００６２】
１…プロジェクタ、２…上部外装、３…下部外装、４…前部外装、６…投射レンズ部、
１２…光学ユニット、２０…第１基板としての制御基板、２１…コネクタ、２２…凹状端
子としてのＨＤＭＩ端子、２４…基板孔、２５…止ネジ孔、２８…固定部材としての止ネ
ジ、３０…フレーム、３０ａ…主面、３１，３２…コネクタ窓、３３…固定孔、３５…止
孔、３６…固定孔、３８…ＨＤＭＩ端子窓、４０…第２基板としてのインターフェース基
板、５０…プロジェクタ組立用治具、５１…基準板、５２…立設板、５３…支持脚、５４
…位置決部、５４ａ…インターフェース基板受面、５４ｂ…フレーム受面、５５…位置決
部、５６…支持部としてのＨＤＭＩ端子受部、５７…端子受溝、５８…ネジ逃溝、６０…
ＨＤＭＩ端子保護部、６１…保護部材としての保護板、６２…誘導孔、６３…移動部とし
ての軸支部、７０…固定工具としてのドライバ。
【図１】
2008242123.tif 000003
【図２】
2008242123.tif 000004
【図３】
2008242123.tif 000005
【図４】
2008242123.tif 000006
【図５】
2008242123.tif 000007
【図６】
2008242123.tif 000008
【図７】
2008242123.tif 000009
【図８】
2008242123.tif 000010
【図９】
2008242123.tif 000011